(57)【要約】【課題】薬品を貯蔵して輸送するための薬品用タンクに関して、薬品を排出して貯蔵されていない薬品用タンクを回収する際の輸送効率を向上させる。【解決手段】薬品を注入して保存する貯蔵体と、その貯蔵体への外圧による変形や破損を防止する収納体と、薬品を密閉するため前記収納体に接合される蓋部材と、薬品の注入や排出を行うパイプ部材とで構成されており、前記収納体は一方端が開放された四角形の箱状で、周囲の壁が収納体の内部へ折り畳める構造となっているとともに、前記貯蔵体がステンレス箔や樹脂を素材として一方端が開放された四角形の箱状であることを特徴とする。【選択図】図１
2013244984.tif 000002
【特許請求の範囲】
【請求項１】
薬品を貯蔵して輸送するための薬品用タンクに関して、薬品を注入して保存する貯蔵体と、その貯蔵体への外圧による変形や破損を防止する収納体と、薬品を密閉するため前記収納体に接合される蓋部材と、薬品の注入や排出を行うパイプ部材とで構成されており、前記収納体は一方端が開放された四角形の箱状で、周囲の壁が収納体の内部へ折り畳める構造となっていることを特徴とする薬品用タンク。
【請求項２】
貯蔵体が、ステンレス箔を素材として、一方端が開放された四角形の箱状であることを特徴とする請求項１に記載の薬品用タンク。
【請求項３】
貯蔵体が、樹脂を素材として、一方端が開放された四角形の箱状であることを特徴とする請求項１に記載の薬品用タンク。
【発明の詳細な説明】
【技術分野】
【０００１】
本発明は、薬品用タンクに関し、例えば農薬や医薬品、非水系電解液を貯蔵して輸送するためのタンクに関する。
【背景技術】
【０００２】
これまでの農薬や医薬品などの薬品類や、リチウムイオン二次電池などで用いられる非水系電解液を注入して保存や輸送に供される薬品用タンクには、特許文献１に記載されているように、薬品を貯蔵する本体部材と薬品を密閉する蓋部材と薬品を注入・排出するパイプ部材で構成されている。また、本体部材は円筒の胴部と底板の構成であって各々をアーク溶接で組み付けられており、薬品を注入・排出するパイプ部材は蓋部材に設けられている挿入口から差し込むような構造である。さらに薬品を本体部材内で密閉するために、蓋部材はシール材を介してボルトにて接合されている。
このような薬品用タンクは、次のように「配送」と「回収・返送」の繰り返しである。まず、「配送」は、注入された薬品を容器内に貯蔵した状態で薬品用タンクを目的地に輸送する段階である。次に、「回収・返送」は、容器に貯蔵していた薬品を配送先で別のタンクや容器などの保存設備に排出したあと、タンク内部を洗浄して再び使用するためにカラになった薬品用タンクを輸送する段階である。
【先行技術文献】
【特許文献】
【０００３】
【特許文献１】特許３１６２３２９号公報
【発明の概要】
【発明が解決しようとする課題】
【０００４】
このように、従来から提案されている薬品用タンクの構造では、タンクの返送時は空タンク状態で輸送するため、内容物の薬品を貯蔵していないにも拘らず体積は変わらないので、配送時よりも多くのタンクを運び出せずに非常に効率が悪く、輸送コストが高くなるという問題がある。
【０００５】
そのため、本発明では、返送時には配送時よりも多くの薬品用タンクを運び出せて、輸送コストを低減できる薬品用タンク構造を提供することを目的とする。
【課題を解決するための手段】
【０００６】
本発明の薬品用タンクは、その目的を達成するため、薬品を注入して保存する貯蔵体と、その貯蔵体への外圧による変形や破損を防止する収納体と、薬品を密閉するため前記収納体に締結される蓋部材と、薬品の注入や排出を行うパイプ部材とで構成されており、前記収納体は一方端が開放された四角形の箱状で、周囲の壁が収納体の内部へ折り畳める構造となっていることを特徴としている。
また、薬品を注入して保存する貯蔵体として、ステンレス箔や樹脂を素材として一方端が開放された四角形の箱状であることも特徴としている。
【発明の効果】
【０００７】
本発明の薬品用タンクにおいては、薬品を注入する貯蔵体とその貯蔵体を収納する収納体とが区分されており、収納体は一方端が開放された四角形の箱で、その箱の周囲の壁が収納体の内部へ折り畳める構造になっている。そのため、空タンクを輸送する返送時は収納体の周囲の壁を折り畳んでプレート状に変形することで体積が小さくなり、かさばらないため、配送時より多くの薬品用タンクを輸送することが可能である。
また、貯蔵体の素材としてステンレス箔を用いる場合は、板厚が薄いために圧潰しやすいことから、貯蔵体を比較的簡単に潰して廃棄することができ、これによって貯蔵体を返送する必要がないため、輸送コストを低く抑えることができる。
さらに貯蔵体の素材を樹脂にした場合にも、強度が金属より低いことから簡単に潰して廃棄することができ、これによって貯蔵体を返送する必要がないため、輸送コストを低く抑えることができる。
【図面の簡単な説明】
【０００８】
【図１】本発明の薬品用タンクの構造を示す断面模式図
【図２】本発明の収納体の折り畳み状態を示す図
【発明を実施するための最良の形態】
【０００９】
以下、本発明の実施の形態について、図面を参照して詳細に説明する。
図１は、本発明の実施形態に係る薬品用タンク１の構造を示す断面模式図である。薬品用タンク１は、薬品を注入して保存する貯蔵体２と、その貯蔵体への外圧による変形や破損を防止する収納体３と、薬品を密閉するため前記収納体に締結される蓋部材１８と、薬品の注入や排出を行うパイプ部材１７とで構成されている。
【００１０】
（収納体）
収納体３は、その内部に貯蔵体２を収納するため、一方端が開放された四角形の箱状のものである。開放された一方端と反対側にあたる底には底板８と、その底板８には輸送時にフォークリフトのつめなどを入れて移動しやすいように搬送部１６が設けられ、また、収納体３の周囲壁６が収納体３の内部へ折り畳める構造となっている。周囲壁６の折り畳みは、図２に示すように、周囲壁６と底板８とを連結している接続金具７を回転させることで行うことができる。また、周囲壁６どうしも同様に９０°回転可能な接続金具７で連結することができる。薬品を貯蔵体２に注入して配送する時は、これらの接続金具７を用いて周囲壁６を垂直に起立させ、周囲壁６どうしを接続金具７とフランジ１３とボルト９を用いて連結・固定することで箱型の収納体３を組み立てる。
返送時は、周囲壁６を連結・固定しているフランジ１３とボルト９を外して、図２に示したように底板８と周囲壁６との接続金具７を回転させて、周囲壁６を底板８の上に折り畳み、図示していないがプレート状にして輸送する。これによって、輸送時に最もスペースが必要な収納体３を小さくすることができる。
【００１１】
（蓋部材、パイプ部材）
蓋部材１８は、大きく分けて、蓋４と、下フランジ１１から構成される。蓋４はパイプ部材５を通すための挿入口１０を有している。また蓋４の周囲には、蓋４から周囲壁６のフランジ１３へボルト９を通すための穴を開けてある。下フランジ１１の周囲には、パイプ部材１７の上フランジ１２からボルト９を通すためのボルト穴を開けてある。
パイプ部材１７は、貯蔵体２の内部に薬品を注入するためのパイプ５と、上フランジ１２から構成される。また、上フランジ１２の周囲には、下フランジ１１へボルト９を通すための穴を開けてある。
【００１２】
（シール）
この薬品用タンク１では、貯蔵体２に貯蔵された薬品を密閉するために、貯蔵体２と蓋部材１８の間と、蓋部材１８とパイプ部材１７の間のそれぞれでシール（封止）を行う。
【００１３】
（締結）
また、蓋部材１８と貯蔵体２と収納体３は、周囲壁６のフランジ１３を用いて一体となるように固定される。そのため、周囲壁６の上端には折り畳める周囲壁の１枚ごとにフランジ１３を溶接して取り付けてあり、またそのフランジに雌ネジ部を設けてあって、蓋４とフランジ１３の間にシール材１４を挟んで組み立てた後、ボルト９により蓋４からフランジ１３へボルト９を通して締結する。
蓋部材１８とパイプ部材１７も、それぞれ両部材に取り付けた下フランジ１１と上フランジ１２の間にシール１４を介してボルト９で締結して固定する。
【００１４】
（貯蔵体）
薬品を注入して保存する貯蔵体２としては、ステンレス箔を素材として収納体３の内容積に合せて四角形状で、開口部にフランジ１５を設けるように成形したものを用いる。
これらの貯蔵体２のフランジ１５には、蓋４の周囲に開けた雌ネジ部と同じ位置に穴を開けておく。収納体３に収納する場合は、周囲壁６のフランジ１３の上に貯蔵体２のフランジ１５を乗せ、さらにその上にシール材１４を乗せ、次に蓋部材１８の蓋４を設置して、ボルト９によって収納体３や蓋部材４とともに固定する。
貯蔵体２の素材として樹脂を用いた場合にも、構造は上記のステンレス箔の場合と同じである。
【００１５】
これらの薬品用タンク１の収納体３や蓋部材１８、パイプ部材１７の素材は特に規定しないが、貯蔵体２の保護や輸送時の何らかの外圧に耐えることができるように強度が比較的高い鉄鋼材料であることが好ましい。
また、貯蔵体２の素材となるステンレス箔の材質や板厚も特に規定しないが、内容物である薬品に対する耐食性が確保できれば、オーステナイト系ステンレス鋼やフェライト系ステンレス鋼、マルテンサイト系ステンレス鋼の何れを用いても良く、板厚は箱状への成形を考慮して１００マイクロメートル以下が好ましい。
貯蔵体２の素材が樹脂の場合も、内容物である薬品に対する耐溶性が確保できれば、どのような材質や板厚であっても構わないが、収納する場合を考慮すると板厚が０．５ｍｍ以下で柔軟性を有するものであることが好ましい。
【実施例１】
【００１６】
図１に示した薬品用タンク１として、収納体３の搬送部１６を除いた部分が幅１０００ｍｍ×奥行き１０００ｍｍ×高さ１０００ｍｍ、搬送部１６の高さが３００ｍｍの寸法のものを製造した。収納体３や蓋４には、何れも板厚２ｍｍのオーステナイト系ステンレス鋼を用い、パイプ５も同一鋼種で外径２０ｍｍ、板厚１．５ｍｍのＴＩＧ溶接パイプを用いた。蓋部材１８とパイプ部材１７には、板厚４ｍｍで、外径６０ｍｍのフランジを各々ＴＩＧ溶接で接合し、下フランジ１１と上フランジ１２とした。下フランジ１１にはＭ６の雌ネジ部を６箇所設け、パイプ部材１７の上フランジ１２にはφ９ｍｍの穴を６箇所設けた。
折り畳める周囲壁６の１枚ごとに開口側に溶接して取り付けたフランジ１３は、幅１２ｍｍで板厚４ｍｍとし、一辺にＭ６の雌ネジ部を４箇所設け、蓋４にも雌ネジ部と同じ位置にφ９ｍｍの穴を設けた。搬送部１６は、一辺が５０ｍｍ、板厚１．５ｍｍ、長さ３００ｍｍのオーステナイト系ステンレス鋼製角パイプを用い、底板８の底面４辺にＴＩＧ溶接で接合した。接続金具７やボルト９もオーステナイト系ステンレス鋼とした。
【００１７】
貯蔵体２の素材としては、板厚１００マイクロメートルのオーステナイト系ステンレス鋼箔とし、収納体３の内容積やフランジ１３に合せて、四角形の箱状やフランジ１５を成形し、フランジ１５にはフランジ１３の雌ネジ部の位置に合せてφ９ｍｍの穴を設けた。
収納体３の周囲壁６を起立させ、周囲壁６どうしを接続金具７により組立てたあと、オーステナイト系ステンレス鋼箔製の貯蔵体２を収納体３の中に収納した。そして、フランジ１３の上に貯蔵体２のフランジ１５とシール材１４を置き、蓋部材１８の蓋４を乗せてボルト９により締結した。続いて、蓋部材４の下フランジ１１の上にシール材１４を介してパイプ部材１７の上フランジ１２を乗せ、ボルト９により締結した。
シール材１４は、ポリプロピレン製で、フランジ１２、フランジ１３と同じ寸法とし、φ９ｍｍの穴もフランジ１２、１３と同じ位置に設けた。
【実施例２】
【００１８】
貯蔵体２の素材として、板厚０．５ｍｍのポリプロピレンを用いた以外は、実施例１と同じように薬品用タンク１を製造した。
【００１９】
１０体の薬品用タンク１を組み立てて電解液製造工場に持ち込み、それぞれのタンクに六フッ化燐酸リチウムをベースとしたリチウムイオン電池用電解液を０．８ｍ３注入した。その後、この薬品用タンク１をトラックに積み、夜間に８時間かけて約５００ｋｍ離れた電池製造工場へ運搬した。このとき、１台のトラックには、薬品用タンク１を６体しか搭載できなかった。
【００２０】
電池製造工場では薬品用タンク１から電解液を抜き取ったあと、薬品用タンク１を分解してポリプロピレン製の貯蔵体２を取り出して貯蔵体２の状態を評価した。いずれの貯蔵体２にも変形や液漏れなどの異常は見られなかった。
電解液抜き取り後のポリプロピレン製貯蔵体２は廃棄処分し、収納体３の接続金具７を回転させて４枚の周囲壁を内側に折り畳んだ。収納体３がコンパクトになることにより、薬品用タンク１を電池製造工場から電解液製造工場へ返送するトラックには、１２体のタンクを搭載することができた。
電解液製造工場では、蓋部材１８とパイプ部材１７は洗浄し、収納体３は再び組み立てた。また、ポリプロピレン製の貯蔵体２は新調したものを使用して、収納体３、貯蔵体２、蓋部材１８、パイプ部材１７から薬品用タンク１を組立て、電解液を注入して配送用のタンクとして用いることができた。
前回の配送、回収・返送時には、貯蔵体２として樹脂製貯蔵体を収納していた薬品用タンク１であっても、次回の配送、回収・返送時にはステンレス鋼箔製の貯蔵体２を収納して輸送することも問題なかった。
【産業上の利用可能性】
【００２１】
本発明にかかる薬品用タンクは、薬品を貯蔵する貯蔵体と、貯蔵体を収納する四角形で箱状の収納体が別部材であり、収納体は周囲の壁が収納体の内部に折り畳めることにより、かさばらずコンパクトになる。そのため、薬品用タンクの返送・回収時には配送時よりも多数の薬品用タンクを輸送できるので効率的でありコスト面で有利である。
【符号の説明】
【００２２】
１  薬品用タンク
２  貯蔵体
３  収納体
４  蓋
５  パイプ
６  周囲壁
７  接続金具
８  底板
９  ボルト
１０  挿入口
１１  下フランジ
１２  上フランジ
１３  周囲壁６のフランジ
１４  シール材
１５  貯蔵材４２のフランジ
１６  搬送部
１７  パイプ部材
１８  蓋部材
【図１】
2013244984.tif 000003
【図２】
2013244984.tif 000004